(57)【要約】【課題】温度の誤検知に起因する異常を防ぐことができる定着装置を提供する。【解決手段】定着装置は、用紙を挟持して搬送する定着ベルト１７３と、定着ベルト１７３を加熱する熱源１７２ａと、定着ベルト１７３の温度を検知する温度検知部（中央温度センサ５０および端部温度センサ６０）と、定着ベルト１７３に冷却動作を実施させるかどうかの冷却判定をする冷却判定部とを備える。熱源１７２ａは、定着ベルト１７３が定着動作を実施する前に、予め設定された温度まで定着ベルト１７３を加熱する予備加熱を実施する構成とされている。冷却判定部は、温度検知部の検知結果に基づいて冷却判定を行い、予備加熱の前に、定着ベルト１７３に冷却動作を実施させる。【選択図】図３
2020187324.tif 000002
【特許請求の範囲】
【請求項１】
用紙を加圧および加熱して、該用紙上に形成された未定着画像を定着させる定着装置であって、
用紙を挟持して搬送する定着部材と、
前記定着部材を加熱する熱源と、
前記定着部材の温度を検知する温度検知部と、
前記定着部材に冷却動作を実施させるかどうかの冷却判定をする冷却判定部とを備え、
前記熱源は、前記定着部材が定着動作を実施する前に、予め設定された温度まで前記定着部材を加熱する予備加熱を実施する構成とされ、
前記冷却判定部は、前記温度検知部の検知結果に基づいて前記冷却判定を行い、前記予備加熱の前に、前記定着部材に冷却動作を実施させること
を特徴とする定着装置。
【請求項２】
請求項１に記載の定着装置であって、
搬送される用紙の紙詰まりの有無を判定する紙詰まり判定部を備え、
前記定着部材は、紙詰まりが有る際、前記定着動作を中止し、
前記冷却判定部は、前記定着動作を再開する際、前記冷却判定をすること
を特徴とする定着装置。
【請求項３】
請求項１または請求項２に記載の定着装置であって、
前記温度検知部は、用紙の幅方向において、前記定着部材の中央部に面する中央温度センサと、前記定着部材の端部に面する端部温度センサとを有し、
前記冷却判定部は、前記冷却判定において、前記端部温度センサでの検知結果と、予め設定された目標値との温度差が、閾値を超えているかどうか比較すること
を特徴とする定着装置。
【請求項４】
請求項３に記載の定着装置であって、
前記冷却判定部は、前記定着部材に冷却動作を実施させた後、前記閾値を変更して、前記冷却判定を再度行うこと
を特徴とする定着装置。
【請求項５】
請求項１から請求項４までのいずれか１つに記載の定着装置であって、
前記定着部材の冷却動作は、前記熱源による加熱を停止させた状態で、前記定着部材を空転させること
を特徴とする定着装置。
【請求項６】
請求項１から請求項５までのいずれか１つに記載の定着装置を備えた画像形成装置。
【発明の詳細な説明】
【技術分野】
【０００１】
本発明は、用紙上の未定着画像を定着させる定着装置および画像形成装置に関する。
【背景技術】
【０００２】
従来、複写機、プリンタ等の電子写真方式の画像形成装置に用いられる定着装置では、未定着のトナー像が形成された用紙を加圧および加熱することで、トナー像の定着が行われる。定着装置では、定着部材の温度を検知する温度検知手段を設けて、定着温度を制御している。
【０００３】
ところで、定着装置では、搬送している用紙が回転ロール（定着部材）から分離せず、巻き付いてしまうことがある。このような状態では、温度の検知が用紙によって阻害され、正しい温度を測れずに、加熱し続けてしまうことがあった。これに対し、回転ロールの複数箇所で測定した温度差によって、用紙巻き付きの有無を判断する技術が提案されている（例えば、特許文献１参照）。
【先行技術文献】
【特許文献】
【０００４】
【特許文献１】特開２００４−２５８５８１号公報
【発明の概要】
【発明が解決しようとする課題】
【０００５】
特許文献１に記載の定着装置では、熱源によって昇温する回転ロールと、回転ロールの温度を検知する接触式温度センサおよび非接触式温度センサとを備え、両センサでの検知温度差によって、回転ロールへの用紙巻き付きと判断している。
【０００６】
定着装置では、トナーを高温で溶融させて定着を行っており、回転ロールを加熱する必要がある。しかし、常に加熱していると、電力を浪費してしまうため、定着に合わせて回転ロールを加熱しており、待機中では、加熱を停止している。また、紙詰まりなどが生じた際には、ユーザが定着装置周辺に接触することを考慮して、加熱を停止したりする。温度が下降した状態からは、ウォームアップ（予備加熱）を行って、定着に適した温度となるように暖めている。ここで、用紙が巻き付いた状態で加熱を行うと、用紙によって、回転ロールの本来の温度が検出できず、過度に加熱される虞があった。また、上述した定着装置では、２つのセンサで検知した温度差から用紙巻き付きを判断しているが、状況によって回転ロールの温度は、様々に変化しており、単に温度差を検知するだけでは、用紙巻き付きと判断できないことがあった。
【０００７】
本発明は、上記の課題を解決するためになされたものであり、温度が不安定な状態のまま定着部材が加熱されることを避け、温度の誤検知に起因する異常を防ぐことができる定着装置および画像形成装置を提供することを目的とする。
【課題を解決するための手段】
【０００８】
本発明に係る定着装置は、用紙を加圧および加熱して、該用紙上に形成された未定着画像を定着させる定着装置であって、用紙を挟持して搬送する定着部材と、前記定着部材を加熱する熱源と、前記定着部材の温度を検知する温度検知部と、前記定着部材に冷却動作を実施させるかどうかの冷却判定をする冷却判定部とを備え、前記熱源は、前記定着部材が定着動作を実施する前に、予め設定された温度まで前記定着部材を加熱する予備加熱を実施する構成とされ、前記冷却判定部は、前記温度検知部の検知結果に基づいて前記冷却判定を行い、前記予備加熱の前に、前記定着部材に冷却動作を実施させることを特徴とする。
【０００９】
本発明に係る定着装置は、搬送される用紙の紙詰まりの有無を判定する紙詰まり判定部を備え、前記定着部材は、紙詰まりが有る際、前記定着動作を中止し、前記冷却判定部は、前記定着動作を再開する際、前記冷却判定をする構成としてもよい。
【００１０】
本発明に係る定着装置では、前記温度検知部は、用紙の幅方向において、前記定着部材の中央部に面する中央温度センサと、前記定着部材の端部に面する端部温度センサとを有し、前記冷却判定部は、前記冷却判定において、前記端部温度センサでの検知結果と、予め設定された目標値との温度差が、閾値を超えているかどうか比較する構成としてもよい。
【００１１】
本発明に係る定着装置では、前記冷却判定部は、前記定着部材に冷却動作を実施させた後、前記閾値を変更して、前記冷却判定を再度行う構成としてもよい。
【００１２】
本発明に係る定着装置では、前記定着部材の冷却動作は、前記熱源による加熱を停止させた状態で、前記定着部材を空転させる構成としてもよい。
【００１３】
本発明に係る画像形成装置は、本発明に係る定着装置を備えることを特徴とする。
【発明の効果】
【００１４】
本発明によると、予備加熱の前に定着部材を冷却することで、温度が不安定な状態のまま定着部材が加熱されることを避け、温度の誤検知に起因する異常を防ぐことができる。
【図面の簡単な説明】
【００１５】
【図１】本発明の第１実施形態に係る画像形成装置を示す概略構成図である。
【図２】定着装置の要部を抜き出して示す模式平面図である。
【図３】定着装置の要部を抜き出して示す模式側面図である。
【図４Ａ】定着装置において、予備加熱を行う際の処理フロー（その１）を示すフロー図である。
【図４Ｂ】定着装置において、予備加熱を行う際の処理フロー（その２）を示すフロー図である。
【発明を実施するための形態】
【００１６】
（第１実施形態）
以下、本発明の第１実施形態に係る画像形成装置および定着装置について、図面を参照して説明する。
【００１７】
図１は、本発明の第１実施形態に係る画像形成装置を示す概略構成図である。
【００１８】
画像形成装置１は、外部から伝達された画像データに応じて、所定の用紙に対して多色および単色の画像を形成し、露光装置１１、現像装置１２、感光体ドラム１３、クリーナ装置１４、帯電器１５、中間転写ベルト装置１６、定着装置１７、給紙カセット１８、および排紙トレイ１９を備える構成とされている。
【００１９】
本画像形成装置において扱われる画像データは、ブラック（Ｋ）、シアン（Ｃ）、マゼンタ（Ｍ）、イエロー（Ｙ）の各色を用いたカラー画像に応じたものである。従って、現像装置１２、感光体ドラム１３、帯電器１５、クリーナ装置１４は、各色に応じた４種類の潜像を形成するようにそれぞれ４個ずつ設けられ、それぞれブラック、シアン、マゼンタ、イエローに設定され、これらによって４つの画像ステーションが構成されている。
【００２０】
感光体ドラム１３は、画像形成装置１の略中央に配置されている。帯電器１５は、感光体ドラム１３の表面を所定の電位に均一に帯電させる。露光装置１１は、感光体ドラム１３の表面を露光して静電潜像を形成する。現像装置１２は、感光体ドラム１３の表面の静電潜像を現像して、感光体ドラム１３の表面にトナー像を形成する。上述した一連の動作によって、各感光体ドラム１３の表面に各色のトナー像が形成される。クリーナ装置１４は、現像および画像転写の後に感光体ドラム１３の表面の残留トナーを除去および回収する。
【００２１】
中間転写ベルト装置１６は、感光体ドラム１３の上側に配置され、中間転写ベルト２１、中間転写ベルト駆動ローラ２２、中間転写ベルト従動ローラ２３、中間転写ローラ２４、中間転写ベルトクリーニング装置２５、およびテンションローラ２６を備えている。なお、中間転写ローラ２４は、ＹＭＣＫ用の各色の画像ステーションに対応して４本設けられている。
【００２２】
中間転写ベルト駆動ローラ２２、中間転写ベルト従動ローラ２３、中間転写ローラ２４、およびテンションローラ２６は、中間転写ベルト２１を張架して、中間転写ベルト２１の表面を所定方向（図中矢符Ｃ方向）に移動させるように構成されている。
【００２３】
中間転写ベルト２１は、矢符Ｃの方向へ周回移動し、中間転写ベルトクリーニング装置２５によって残留トナーを除去および回収され、各感光体ドラム１３の表面に形成された各色のトナー像が順次転写して重ね合わされて、中間転写ベルト２１の表面にカラーのトナー像が形成される。
【００２４】
２次転写装置２７の転写ローラ２７ａは、中間転写ベルト２１との間にニップ域が形成されており、シート搬送経路Ｓを通じて搬送されて来た用紙Ｐをニップ域に挟み込んで搬送する。用紙Ｐは、ニップ域を通過する際に、中間転写ベルト２１の表面のトナー像が転写される。
【００２５】
給紙カセット１８は、画像形成に使用する用紙Ｐを蓄積しておくためのカセットであり、露光装置１１の下側に設けられている。また、排紙トレイ１９は、画像形成部１ａの上側に設けられており、画像形成済みの用紙Ｐを載置するためのトレイである。
【００２６】
また、画像形成装置１において、給紙カセット１８の用紙Ｐは、シート搬送経路Ｓを通じて、２次転写装置２７や定着装置１７を経由して排紙トレイ１９に送られる。シート搬送経路Ｓに沿って、給紙ローラ３１、レジストローラ３２、レジスト前ローラ３３、定着装置１７、および排紙ローラ３４が配置されている。
【００２７】
給紙ローラ３１は、給紙カセット１８の端部近傍に備えられ、給紙カセット１８から用紙Ｐを１枚ずつシート搬送経路Ｓに供給する。レジストローラ３２は、給紙カセット１８から搬送されている用紙Ｐを一旦保持し、感光体ドラム１３上のトナー像の先端と用紙Ｐの先端とを合わせるタイミングで用紙Ｐを転写ローラ２７ａに搬送する。レジスト前ローラ３３は、用紙Ｐの搬送を促進補助するための小型のローラである。
【００２８】
定着装置１７は、ベルト定着方式の定着装置とされており、複数のローラ（ここでは定着ローラ１７１および加熱ローラ１７２）に定着ベルト１７３（定着部材の一例）が巻き掛けられている。定着ベルト１７３は、加熱ローラ１７２から定着ローラ１７１へ熱伝達できるようになっている。定着装置１７では、定着ベルト１７３を介して定着ローラ１７１に加圧ローラ１７４が押圧されるようになっている。定着装置１７では、未定着のトナー像が形成された用紙Ｐを受け取り、用紙Ｐを定着ベルト１７３と加圧ローラ１７４との間に挟み込んで搬送する。定着ベルト１７３の近傍には、中央温度センサ５０および端部温度センサ６０が設けられている。定着後の用紙Ｐは、排紙ローラ３４によって排紙トレイ１９上に排出される。なお、定着装置１７については、後述する図２および図３を参照して詳細を説明する。
【００２９】
本実施の形態では、定着装置１７は、ベルト定着方式の定着装置とされているがこれに限定されず、加圧ローラ１７４で定着ローラ１７１を直接押圧する方式としてもよい。この場合、上述した定着部材は、定着ローラ１７１に相当する。
【００３０】
次に、本発明の第１実施形態に係る定着装置について、図面を参照して説明する。
【００３１】
図２は、定着装置の要部を抜き出して示す模式平面図であって、図３は、定着装置の要部を抜き出して示す模式側面図である。
【００３２】
図２および図３では、図１に示す定着装置１７から定着ローラ１７１、加熱ローラ１７２、定着ベルト１７３、および加圧ローラ１７４等を抜き出して示している。なお、図１では、画像形成装置１の正面側から示しているのに対して、図３は、画像形成装置１の背面側から示しているため、左右が反転している。
【００３３】
加熱ローラ１７２は、内側に、例えば、ヒータなどの熱源１７２ａが収められている。熱源１７２ａが発する熱によって、加熱ローラ１７２および定着ベルト１７３が暖められる。定着ベルト１７３は、定着ローラ１７１および加熱ローラ１７２によって移動し、熱源１７２ａに近い部分が徐々にずれて、全体が暖められる。熱源１７２ａは、定着ベルト１７３が定着動作を実施する前に、予め設定された温度まで定着ベルト１７３を加熱する予備加熱を実施する構成とされている。
【００３４】
中央温度センサ５０および端部温度センサ６０（温度検知部）は、加熱ローラ１７２の近傍であって、定着ベルト１７３に面して設けられている。中央温度センサ５０と端部温度センサ６０とは、加熱ローラ１７２の回転軸に沿った幅方向Ｗで離間している。具体的に、中央温度センサ５０は、加熱ローラ１７２における幅方向Ｗでの中央に面しており、定着ベルト１７３の幅方向Ｗでの中央の温度を検知する。端部温度センサ６０は、加熱ローラ１７２における幅方向Ｗでの端部に面しており、定着ベルト１７３の幅方向Ｗでの端部の温度を検知する。
【００３５】
中央温度センサ５０および端部温度センサ６０での検知結果は、定着装置１７または画像形成装置１の制御部（例えば、ＣＰＵ等であって、図示しない）に出力される。制御部に設けられた冷却判定部は、定着ベルト１７３に冷却動作を実施させるかどうかの冷却判定をする。本実施の形態において、定着ベルト１７３の冷却動作は、熱源１７２ａによる加熱を停止させた状態で、定着ベルト１７３を空転させている。従って、複雑な機構を設けることなく、定着ベルト１７３を動作させることで、冷却を行うことができる。
【００３６】
画像形成装置１では、上述したものの他、例えば、シート搬送経路Ｓの各部に用紙の有無を検知する用紙検知センサを設けてもよく、搬送している用紙の位置を把握するようにしてもよい。つまり、搬送している用紙が、画像形成装置１の動作に応じた位置に存在していないとき、制御部に設けられた紙詰まり判定部が、紙詰まりが生じていると判断する。
【００３７】
次に、定着装置１７において、予備加熱を行う際の処理フローについて、図４Ａおよび図４Ｂを参照して説明する。
【００３８】
図４Ａは、定着装置において、予備加熱を行う際の処理フロー（その１）を示すフロー図であって、図４Ｂは、定着装置において、予備加熱を行う際の処理フロー（その２）を示すフロー図である。
【００３９】
以下に示す処理フローの処理開始時では、定着動作を実施していない状態において、定着動作の実施が指示されている。定着動作の実施が指示されると、熱源１７２ａに予備加熱を開始させるかどうかが、制御部によって判断される。
【００４０】
ステップＳ０１では、制御部によって、紙詰まり処理後の予備加熱かどうかを判断している。本実施の形態では、紙詰まりが生じた際に、定着動作を停止しており、ステップＳ０１では、その直前に、紙詰まりによって定着動作を停止したかどうかを判断している。その結果、紙詰まり処理後の予備加熱である場合には（ステップＳ０１：Ｙｅｓ）、ステップＳ０３へ進む。一方、紙詰まり処理後の予備加熱でない場合には（ステップＳ０１：Ｎｏ）、ステップＳ０２へ進む。
【００４１】
ステップＳ０２では、制御部によって、通常判定を実施し、処理を終了する。通常判定では、温度検知部での検知結果によって、定着ベルト１７３の温度を制御しており、目標温度に達すると、予備加熱が完了したと判断して、定着動作を開始する。ここでは、定着ベルト１７３の温度など、各部に異常が生じていないかどうかを適宜監視しながら、以後の定着動作を継続する。
【００４２】
ステップＳ０３では、冷却判定部によって、初期条件を満たしているかどうかを判断する。初期条件では、定着ベルト１７３の温度に関する設定がされており、例えば、所定の温度以下であれば、初期条件を満たしていると判断される。なお、初期条件では、単に所定の温度を基準にするだけでなく、幅方向Ｗでの温度分布などを考慮してもよい。その結果、初期条件を満たしている場合には（ステップＳ０３：Ｙｅｓ）、ステップＳ０５へ進む。一方、初期条件を満たしていない場合には（ステップＳ０３：Ｎｏ）、ステップＳ０４へ進む。
【００４３】
ステップＳ０４では、冷却判定部によって、定着ベルト１７３に冷却動作を実施させる。冷却動作では、定着ベルト１７３の温度によって、冷却が完了したと判断してもよいし、所定の時間実施すると、冷却が完了したと判断して、ステップＳ０５へ進む。
【００４４】
ステップＳ０５では、制御部によって、熱源１７２ａでの予備加熱を開始し、ステップＳ０６へ進む。
【００４５】
ステップＳ０６では、冷却判定部によって、異常が検知されたかどうかを判断する。ここでは、定着ベルト１７３の温度に基づいて、異常かどうかを判断し、冷却動作の有無を判定する冷却判定とされている。この冷却判定では、中央温度センサ５０と端部温度センサ６０との温度差が閾値を超えているかどうかを比較する。また、これに加えて、端部温度センサ６０での検知結果と、予め設定された目標値との温度差が、閾値を超えているかどうかも比較する。比較した結果、閾値を超えていると、異常が検知されたと判断される。その結果、異常が検知された場合には（ステップＳ０６：Ｙｅｓ）、ステップＳ０９へ進む。一方、異常が検知されない場合には（ステップＳ０６：Ｎｏ）、ステップＳ０７へ進む。
【００４６】
ステップＳ０７では、冷却判定部によって、目標温度に達したかどうかを判断する。つまり、冷却判定部は、温度検知部の検知結果に基づいて、定着ベルト１７３が目標温度まで加熱されたかどうかを判断する。その結果、目標温度に達した場合には（ステップＳ０７：Ｙｅｓ）、ステップＳ０８へ進む。一方、目標温度に達していない場合には（ステップＳ０７：Ｎｏ）、ステップＳ０６へ戻り、異常の有無を確認しつつ、加熱を続ける。
【００４７】
ステップＳ０８では、制御部によって、熱源１７２ａでの予備加熱を終了させ、処理を終了する。予備加熱が完了した後は、定着動作を開始させるが、定着動作の際には、定着ベルト１７３の温度を確認しつつ、熱源１７２ａによる加熱を継続させてもよい。
【００４８】
ステップＳ０９では、制御部によって、熱源１７２ａでの加熱を停止させ、空転カウントを増やす。空転カウントは、冷却動作を実施した回数を示しており、初期状態では、「０」とされている。ステップＳ０９を経る毎に空転カウントを増やすことで、次のステップＳ１０を経て、冷却動作を実施した回数を把握することができる。
【００４９】
ステップＳ１０では、冷却判定部によって、定着ベルト１７３に冷却動作を実施させる。ここで、冷却動作を完了する条件は、上述したステップＳ０４と同じであってもよいし、違っていてもよい。
【００５０】
ステップＳ１１では、制御部によって、空転カウントが規定値を超えたかどうかを判断する。本実施の形態において、規定値は「２」とされているが、これに限定されず、適宜変更してもよい。その結果、空転カウントが規定値を超えた場合には（ステップＳ１１：Ｙｅｓ）、ステップＳ１２（図４Ｂ参照）へ進む。一方、空転カウントが規定値を超えていない場合には（ステップＳ１１：Ｎｏ）、ステップＳ０５へ戻る。
【００５１】
ステップＳ１２では、制御部によって、空転カウントをリセットして、紙詰まりカウントを増やす。紙詰まりカウントは、紙詰まりによる異常を通知した回数を示しており、初期状態では、「０」とされている。ステップＳ１２を経る毎に紙詰まりカウントを増やすことで、以降のステップＳ１５を経て、紙詰まりへの対処を通知した回数を把握することができる。また、ステップＳ１２を経た際には、空転カウントを初期状態である「０」にリセットする。
【００５２】
ステップＳ１３では、制御部によって、紙詰まりカウントが規定値を超えたかどうかを判断する。本実施の形態において、規定値は「３」とされているが、これに限定されず、適宜変更してもよい。その結果、紙詰まりカウントが規定値を超えた場合には（ステップＳ１３：Ｙｅｓ）、ステップＳ１４へ進む。一方、紙詰まりカウントが規定値を超えていない場合には（ステップＳ１３：Ｎｏ）、ステップＳ１５へ進む。
【００５３】
ステップＳ１４では、制御部によって、メンテナンス要判定とし、処理を終了する。メンテナンス要判定とされると、画像形成装置１に対するメンテナンスが必要であると判断される。この際、画像形成装置１が、サービスセンターに対して、メンテナンスが必要である旨を連絡してもよいし、ユーザに対して、メンテナンスが必要である旨を通知してもよい。
【００５４】
ステップＳ１５では、制御部によって、画像形成装置１が実施している処理を停止させ、アラートを表示させる。ここでのアラートは、紙詰まりが生じていることを通知しており、ユーザに対して、用紙の除去を促す。
【００５５】
ステップＳ１６では、制御部によって、紙詰まりが解消されたかどうかを判断する。紙詰まりの解消については、用紙検知センサの検知結果によって判断してもよいし、用紙の除去が完了したことを、ユーザからの入力によって判断してもよい。その結果、紙詰まりが解消された場合には（ステップＳ１６：Ｙｅｓ）、ステップＳ０３へ戻る。一方、紙詰まりが解消されない場合には（ステップＳ１６：Ｎｏ）、紙詰まりが解消されるまで待機する。
【００５６】
本実施の形態では、予備加熱の前に定着ベルト１７３を冷却することで、温度が不安定な状態のまま定着ベルト１７３が加熱されることを避け、温度の誤検知に起因する異常を防ぐことができる。
【００５７】
また、定着動作を再開する際に、冷却判定をすることで、定着ベルト１７３に巻き付いた用紙による検知温度のズレが生じていないかどうかを判断することができる。この際、定着ベルト１７３において、用紙と接触する機会が少ない端部の温度を、冷却判定に用いることで、温度の誤検知を確実に避けることができる。
【００５８】
（第２実施形態）
次に、本発明の第２実施形態に係る画像形成装置および定着装置について説明する。第２実施形態では、第１実施形態に対し、処理フローの一部が異なっており、第１実施形態と略同様の構成とされているので、図面を省略する。
【００５９】
第２実施形態では、ステップＳ０３およびステップＳ０４が省略されており、ステップＳ０１の後、ステップＳ０５へ進む。つまり、初期条件を確認することなく、予備加熱を開始している。
【００６０】
また、冷却判定部は、定着ベルト１７３に冷却動作を実施させた後、閾値を変更して、冷却判定を再度行う。つまり、閾値を変更して、冷却判定を再度行うことで、定着ベルト１７３の温度が不安定であったのか、何らかの異常が生じていたのかを判別することができる。
【００６１】
具体的に、ステップＳ０６で用いる閾値について、空転カウントに応じて、適宜設定すればよい。例えば、空転カウントが「０」である場合は、閾値を低く設定して、温度差等が小さくても、異常が検知されるようにし、冷却動作の実施を促す。そして、冷却動作を実施して、空転カウントが増えると、本来の閾値に設定し、過度な冷却動作を避ける。
【００６２】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００６３】
１  画像形成装置
１７  定着装置
５０  中央温度センサ
６０  端部温度センサ
１７１  定着ローラ
１７２  加熱ローラ
１７２ａ  熱源
１７３  定着ベルト（定着部材の一例）
１７４  加圧ローラ
Ｗ  幅方向
【図１】
2020187324.tif 000003
【図２】
2020187324.tif 000004
【図３】
2020187324.tif 000005
【図４Ａ】
2020187324.tif 000006
【図４Ｂ】
2020187324.tif 000007